(57)【要約】【課題】  機能性及び汎用性に優れ、可搬式装置としての装置価値も高い可搬式空調装置を提供する。【解決手段】  熱源収容部４に収容した蓄熱剤Ｚが保有する冷熱を用いて冷風ＳＡを生成する空気調整手段６，１１，１２と、その生成冷風ＳＡを送出するファン１０とを備える構成において、電池収容部３と外部電源端子２０とを設け、電池収容部３に電池１５を収容するとともに熱源収容部４に蓄熱剤Ｚを収容した状態で、電池１５の出力電力により装置を運転して熱源収容部４における蓄熱剤Ｚの保有冷熱により冷風ＳＡを生成する電池運転モードと、電池収容部３及び熱源収容部４の両方に蓄熱剤Ｚを収容した状態で、外部電源端子２０からの入力電力により装置を運転して電池収容部３及び熱源収容部４の両方における蓄熱剤Ｚの保有冷熱を用いて冷風ＳＡを生成する外部電源運転モードとの切り換えを行うモード切換手段１３，２８，２９を設ける。【選択図】        図２
2006300352.tif 000002
【特許請求の範囲】
【請求項１】
熱源収容部に収容した蓄熱剤が保有する冷熱又は温熱を用いて冷風又は温風を生成する空気調整手段と、この空気調整手段により生成した冷風又は温風を送出するファンとを備える可搬式空調装置であって、
電池を収容する電池収容部、及び、外部電源端子を設け、
電池収容部に電池を収容するとともに熱源収容部に蓄熱剤を収容した状態で、電池収容部に収容した電池の出力電力を装置の駆動電力にして、熱源収容部に収容した蓄熱剤の保有冷熱又は保有温熱を用いて空気調整手段により冷風又は温風を生成するとともに、その生成冷風又は生成温風をファンにより送出する電池運転モードと、
電池収容部及び熱源収容部の両方に蓄熱剤を収容して電池収容部を熱源収容部の増設部にした状態で、外部電源端子からの入力電力を装置の駆動電力にして、電池収容部及び熱源収容部の両方に収容した蓄熱剤の保有冷熱又は保有温熱を用いて空気調整手段により冷風又は温風を生成するとともに、その生成冷風又は生成温風をファンにより送出する外部電源運転モードとの切り換えを行うモード切換手段を設けてある可搬式空調装置。
【請求項２】
前記モード切換手段として、電池収容部に収容した電池の出力電力を装置の駆動電力にする状態と、外部電源端子からの入力電力を装置の駆動電力にする状態との切り換えを行う電源切換手段を設けるとともに、
電池収容部と熱源収容部とを隔壁部により仕切って非連通にする状態と、その隔壁部による仕切りを解除して電池収容部と熱源収容部とを連通させる状態との切り換えを行う連通切換手段を設けてある請求項１記載の可搬式空調装置。
【請求項３】
熱源収容部に収容した蓄熱剤が保有する冷熱又は温熱を用いて冷風又は温風を生成する空気調整手段と、この空気調整手段により生成した冷風又は温風を送出するファンとを備える可搬式空調装置であって、
装置の駆動電源にする電池を収容する電池収容部を設けるとともに、
この電池収容部と熱源収容部とのうちの一方の一部を他方の増設部にして電池収容部の容積と熱源収容部の容積とを背反的に増減させる形態で、それら電池収容部と熱源収容部との容積比を変更する容積比変更手段を設けてある可搬式空調装置。
【請求項４】
前記熱源収容部と前記電池収容部と前記空気調整手段と前記ファンと前記モード切換手段又は前記容積比変更手段とを可搬装置ケースに内装して一体化してある請求項１〜３のいずれか１項に記載の可搬式空調装置。
【請求項５】
ファンを内装した送風側ケースと電池収容部及び熱源収容部を内装した収容部側ケースとを連結操作及び連結解除操作が自在な連結手段により連結して前記可搬装置ケースを形成する構造にしてある請求項４記載の可搬式空調装置。
【請求項６】
前記空気調整手段は、蓄熱剤を封入した複数の蓄熱容器とともに熱源収容部に収容した熱媒液、又は、蓄熱剤を封入した複数の蓄熱容器とともに熱源収容部と電池収容部における熱源収容部の増設部との両方に収容した熱媒液の保有冷熱又は保有温熱を用いて冷風又は温風を生成する構成にしてある請求項１〜５のいずれか１項に記載の可搬式空調装置。
【請求項７】
前記熱源収容部に、又は、前記熱源収容部と前記電池収容部における熱源収容部の増設部との両方に、複数の前記蓄熱容器を整列状態に位置決めする容器配列構造を設けてある請求項６記載の可搬式空調装置。
【請求項８】
前記電池収容部に収容した電池に接続する電池用接続端子を電池との接続を解除した状態で電池収容部において密閉状に格納する格納状態と、その電池用接続端子を電池との接続が可能な状態に電池収容部において露呈させる格納解除状態との切り換え操作が自在な端子格納手段を設けてある請求項１〜７のいずれか１項に記載の可搬式空調装置。
【発明の詳細な説明】
【技術分野】
【０００１】
本発明は小型船舶などで使用する可搬式の空調装置に関し、詳しくは、熱源収容部に収容した蓄熱剤が保有する冷熱又は温熱を用いて冷風又は温風を生成する空気調整手段と、この空気調整手段により生成した冷風又は温風を送出するファンとを備える可搬式空調装置に関する。
【背景技術】
【０００２】
従来、上記の如き可搬式空調装置として、電源プラグなどの外部電源端子からの入力電力（例えば、船内電源設備からの供給電力）により装置を運転するようにした小型漁船用の空調装置が提案されている（特許文献１を参照）。
【０００３】
【特許文献１】特開２００３−２８４６５号公報
【発明の開示】
【発明が解決しようとする課題】
【０００４】
しかし、プレジャーボートなどの特に小型な船舶では、航行に必要な電力を得るための専用電源はあるにしても、電気コネクタの装備面や容量面などで上記の如き可搬式空調装置の運転に使用できる船内電源（外部電源）が装備されていない場合も多く、この為、外部電源端子からの入力電力を装置の駆動電力とする上記の如き従来の可搬式空調装置では、例えば小型船舶において炎天下での航行の際や寒風下での航行の際に空調装置の使用が切望されるにもかかわらず、その使用を断念せざるを得ない場合も多く、この点、機能性及び汎用性の面で問題があった。
【０００５】
また、この問題を解決するのに、可搬式空調装置に電池収容部を設けて、この電池収容部に収容した電池の出力電力により装置を運転することも考えられるが、この場合、例えば蓄熱剤が保有する冷熱や温熱の消費速度が季節や天候によって変化するなどの使用状況の変化が原因で、蓄熱剤の保有冷熱や保有温熱を使い切った際に電池電力が未だかなり残る、あるいは逆に、電池電力を使い切った際に蓄熱剤の保有冷熱や保有温熱が未だかなり残るといったことが生じて、それら電池電力の余剰分ないしは冷熱又は温熱の余剰分だけ装置運転に関与しない占有スペースが装置内に生じることになり、その分、可搬式装置としての装置価値（すなわち、装置の大きさが制限される可搬式装置において如何に高い装置性能を発揮し得るかの価値）が低い装置になる問題が生じる。
【０００６】
そして特に、電池収容部に収容した電池の出力電力により装置を運転する電池運転モードと、外部電源端子からの入力電力により装置を運転する外部電源運転モードとの切り換えを可能にした場合には、外部電源運転モードを選択した際に、電池収容部の全体が単に電池を収容するだけの装置運転に関与しない占有スペースになることで、上記した可搬式装置としての装置価値の低下が一層顕著なものになる。
【０００７】
この実情に鑑み、本発明の主たる課題は、可搬式空調装置を構成するのに合理的な装置構成を採ることで、上記の如き問題を効果的に解消する点にある。
【課題を解決するための手段】
【０００８】
〔１〕本発明の第１特徴構成は可搬式空調装置に係り、その特徴は、
熱源収容部に収容した蓄熱剤が保有する冷熱又は温熱を用いて冷風又は温風を生成する空気調整手段と、この空気調整手段により生成した冷風又は温風を送出するファンとを備える構成において、
電池を収容する電池収容部、及び、外部電源端子を設け、
電池収容部に電池を収容するとともに熱源収容部に蓄熱剤を収容した状態で、電池収容部に収容した電池の出力電力を装置の駆動電力にして、熱源収容部に収容した蓄熱剤の保有冷熱又は保有温熱を用いて空気調整手段により冷風又は温風を生成するとともに、その生成冷風又は生成温風をファンにより送出する電池運転モードと、
電池収容部及び熱源収容部の両方に蓄熱剤を収容して電池収容部を熱源収容部の増設部にした状態で、外部電源端子からの入力電力を装置の駆動電力にして、電池収容部及び熱源収容部の両方に収容した蓄熱剤の保有冷熱又は保有温熱を用いて空気調整手段により冷風又は温風を生成するとともに、その生成冷風又は生成温風をファンにより送出する外部電源運転モードとの切り換えを行うモード切換手段を設けてある点にある。
【０００９】
つまり、この第１特徴構成によれば、可搬式空調装置の運転に使用できる外部電源がない状況（例えば、プレジャーボートのボート上やキャンプ場など）でも、電池運転モードで可搬式空調装置を運転して送出冷風による冷房感や送出温風による暖房感を得ることができ、また、適当な外部電源がある場合には外部電源運転モードを選択することにより、電池の準備を要することなく、可搬式空調装置を運転して送出冷風による冷房感や送出温風による暖房感を得ることができ、この点で、機能性及び汎用性に優れた可搬式空調装置にすることができる。
【００１０】
そしてまた、外部電源端子からの入力電力により装置を運転する外部電源運転モードでは、不要な電池に代え蓄熱剤を電池収容部に収容して電池収容部を熱源収容部の増設部として利用した状態で、それら電池収容部及び熱源収容部の両方に収容した蓄熱剤の保有冷熱又は保有温熱を用いて冷風又は温風を生成するから、電池容量による使用時間制限がない状態の下で、電池収容部に収容した蓄熱剤の保有冷熱分又は保有温熱分だけ装置の使用可能時間を長くすることができて、外部電源運転モードにおいても電池収容部を装置の運転上で有効に活用することができ、これにより、可搬式装置としての装置価値（装置の大きさが制限される可搬式装置において如何に高い装置性能を発揮し得るかの価値）の高い装置にすることができる。
【００１１】
なお、第１特徴構成の実施において、冷熱用の蓄熱剤には氷、ドライアイス、その他の潜熱蓄熱剤など種々のものを採用でき、また、温熱用の蓄熱剤には温水、加熱したセラミックスなどの固体、潜熱蓄熱剤など種々のものを採用できる。
【００１２】
また、蓄熱剤の保有冷熱又は保有温熱を用いて冷風又は温風を生成する空気調整手段としては、空気を蓄熱剤に対し直接に接触させて冷却又は加熱することで冷風又は温風を生成する方式のものや、蓄熱剤との間での循環熱媒を通流させる熱交換器で空気を冷却又は加熱して冷風又は温風を生成する方式のものなど、各種方式のものを採用できる。
【００１３】
〔２〕本発明の第２特徴構成は、第１特徴構成の実施に好適な実施形態を特定するものであり、その特徴は、
前記モード切換手段として、電池収容部に収容した電池の出力電力を装置の駆動電力にする状態と、外部電源端子からの入力電力を装置の駆動電力にする状態との切り換えを行う電源切換手段を設けるとともに、
電池収容部と熱源収容部とを隔壁部により仕切って非連通にする状態と、その隔壁部による仕切りを解除して電池収容部と熱源収容部とを連通させる状態との切り換えを行う連通切換手段を設けてある点にある。
【００１４】
つまり、この第２特徴構成では、連通切換手段による切り換えをもって電池収容部と熱源収容部とを隔壁部により仕切る非連通状態にすることで、電池と蓄熱剤とを相互に隔離した状態で各収容部に収容できるようにし、そして、電源切換手段による切り換えをもって電池収容部に収容した電池の出力電力を装置の駆動電力とする状態にすることで、電池運転モードを実現する。
【００１５】
また、連通切換手段による切り換えをもって電池収容部と熱源収容部とを隔壁部による仕切りを解除した連通状態にすることで、電池収容部と熱源収容部とを実質的に１つの収容部にした状態で両収容部に蓄熱剤を収容できるようにし、そして、電源切換手段による切り換えをもって外部電源端子からの入力電力を装置の駆動電力とする状態にすることで、外部電源運転モードを実現する。
【００１６】
そして、この第２特徴構成によれば、外部電源運転モードにおいて電池収容部と熱源収容部とを連通により実質的に１つの収容部にするから、それら電池収容部と熱源収容部との夫々に蓄熱剤を収容する外部電源運転モードにおいても、電池運転モードの場合と同様、熱源収容部に収容した蓄熱剤の保有冷熱又は保有温熱を熱源収容部から取り出す手段だけで、電池収容部と熱源収容部との両方からそれら収容部に収容した蓄熱剤の保有冷熱又は保有温熱を取り出すことができ、これにより、熱源収容部に収容した蓄熱剤の保有冷熱又は保有温熱を熱源収容部から取り出す手段とは別に、電池収容部に収容した蓄熱剤の保有冷熱又は保有温熱を電池収容部から取り出す手段を外部電源運転モード用として付加装備するのに比べ、装置の構造を簡素にすることができて、装置コストを安価にし得るとともに、小型化及び軽量化により可搬式空調装置の可搬性も高めることができる。
【００１７】
なお、第２特徴構成の実施において、電源切換手段と連通切換手段とは、それらに対する各別の操作により個々に切り換え作用させるもの、あるいは、共通操作によりともに切り換え作用させるもののいずれにしてもよい。
【００１８】
また、外部電源運転モードにおいて連通切換手段により隔壁部による仕切りを解除して電池収容部と熱源収容部とを連通させるには、例えば、隔壁部を取り外す方式や、隔壁部に形成の連通口に対する閉塞具を操作して連通口を開く方式など、種々の仕切り解除方式を採用できる。
【００１９】
また、電源切換手段は、電池に対する端子の接続と接続解除とに連動して自動的に切り換え作用するものや、電池収容部への電池の収容と電池収容部からの電池の取り出しとに連動して自動的に切り換え作用するもの、あるいはまた、外部電源に対する外部電源端子の接続と接続解除とに連動して自動的に切り換え作用するものにしてもよい。
【００２０】
〔３〕本発明の第３特徴構成は可搬式空調装置に係り、その特徴は、
熱源収容部に収容した蓄熱剤が保有する冷熱又は温熱を用いて冷風又は温風を生成する空気調整手段と、この空気調整手段により生成した冷風又は温風を送出するファンとを備える構成において、
装置の駆動電源にする電池を収容する電池収容部を設けるとともに、
この電池収容部と熱源収容部とのうちの一方の一部を他方の増設部にして電池収容部の容積と熱源収容部の容積とを背反的に増減させる形態で、それら電池収容部と熱源収容部との容積比を変更する容積比変更手段を設けてある点にある。
【００２１】
つまり、この第３特徴構成によれば、可搬式空調装置の運転に使用できる外部電源がない状況（例えば、プレジャーボートのボート上やキャンプ場など）でも、電池収容部に収容した電池の出力電力により可搬式空調装置を運転して送出冷風による冷房感や送出温風による暖房感を得ることができ、これにより、機能性及び汎用性に優れた可搬式空調装置にすることができる。
【００２２】
そしてまた、電池収容部と熱源収容部とのうちの一方の一部を他方の増設部にして電池収容部の容積と熱源収容部の容積とを背反的に増減させる形態で、それら電池収容部と熱源収容部との容積比を変更できるから、その容積比の変更により、電池収容部に収容する電池の容量と熱源収容部に収容する蓄熱剤の収容量とを、ともに極力大きく確保するようにしながら、そのときの装置の使用状況において相互に過不足のない状態に調整することができる。
【００２３】
すなわち、このことにより、蓄熱剤の保有冷熱や保有温熱を使い切った際に電池電力が未だかなり残って、その電池電力の余剰分だけ装置運転に関与しない占有スペースが装置内に生じるといったことや、逆に、電池電力を使い切った際に蓄熱剤の保有冷熱や保有温熱が未だかなり残って、その冷熱又は温熱の余剰分だけ装置運転に関与しない占有スペースが装置内に生じるといったことを、使用状況の変化にかかわらず効果的に回避することができ、これにより、可搬式装置としての装置価値（装置の大きさが制限される可搬式装置において如何に高い装置性能を発揮し得るかの価値）の高い装置にすることができる。
【００２４】
なお、第１特徴構成と同様、第３特徴構成の実施において、冷熱用の蓄熱剤には氷、ドライアイス、その他の潜熱蓄熱剤など種々のものを採用でき、また、温熱用の蓄熱剤には温水、加熱したセラミックスなどの固体、潜熱蓄熱剤など種々のものを採用できる。
【００２５】
蓄熱剤の保有冷熱又は保有温熱を用いて冷風又は温風を生成する空気調整手段としては、空気を蓄熱剤に対し直接に接触させて冷却又は加熱することで冷風又は温風を生成する方式のものや、蓄熱剤との間での循環熱媒を通流させる熱交換器で空気を冷却又は加熱して冷風又は温風を生成する方式のものなど、各種方式のものを採用できる。
【００２６】
そしてまた、この第３特徴構成の実施においては、電池収容部に収容した電池の出力電力を装置の駆動電力にして、熱源収容部に収容した蓄熱剤の保有冷熱又は保有温熱を用いて空気調整手段により冷風又は温風を生成するとともに、その生成冷風又は生成温風をファンにより送出する電池運転モードと、外部電源端子からの入力電力を装置の駆動電力にして、熱源収容部に収容した蓄熱剤の保有冷熱又は保有温熱を用いて空気調整手段により冷風又は温風を生成するとともに、その生成冷風又は生成温風をファンにより送出する外部電源運転モードとの切り換えを行うモード切換手段を付加装備し、これにより、一層高い機能性及び汎用性を得るようにしてもよい。
【００２７】
第３特徴構成の実施において、容積比変更手段による電池収容部と熱源収容部との容積比の変更は段階的な変更、あるいは、連続的な変更のいずれであってもよい。
【００２８】
〔４〕本発明の第４特徴構成は、第１〜第３特徴構成のいずれかの実施に好適な実施形態を特定するものであり、その特徴は、
前記熱源収容部と前記電池収容部と前記空気調整手段と前記ファンと前記モード切換手段又は前記容積比変更手段とを可搬装置ケースに内装して一体化してある点にある。
【００２９】
つまり、この第４特徴構成によれば、熱源収容部と電池収容部と空気調整手段とファンとモード切換手段又は容積比変更手段とを複数組に組み分けして、それら組ごとに各別の可搬装置ケースに内装するのに比べ、上記一体化により装置の持ち運びを容易にすることができて、可搬性の一層高い装置にすることができる。
【００３０】
〔５〕本発明の第５特徴構成は、第４特徴構成の実施に好適な実施形態を特定するものであり、その特徴は、
ファンを内装した送風側ケースと電池収容部及び熱源収容部を内装した収容部側ケースとを連結操作及び連結解除操作が自在な連結手段により連結して前記可搬装置ケースを形成する構造にしてある点にある。
【００３１】
つまり、この第５特徴構成によれば、例えば、装置の持ち運びの際には送風側ケースと収容部側ケースと連結して、それらを１つの可搬装置ケースとして持ち運び、そして、装置の使用の際には送風側ケースと収容部側ケースとの連結を解除して、それら送風側ケース及び収容部側ケースを各々の設置に適した箇所に設置するといったことができ、これにより、前記第４特徴構成による効果として高い可搬性を得ながらも、装置使用の面での機能性及び汎用性にも一層優れた装置にすることができる。
【００３２】
なお、第５特徴構成の実施において、空気調整手段やモード切換手段又は容積比変更手段は夫々、送風側ケースあるいは収容部側ケースのいずれに内装してもよく、また、送風側ケースと収容部側ケースとに分割して内装するようにしてもよい。
【００３３】
〔６〕本発明の第６特徴構成は、第１〜第５特徴構成のいずれかの実施に好適な実施形態を特定するものであり、その特徴は、
前記空気調整手段は、蓄熱剤を封入した複数の蓄熱容器とともに熱源収容部に収容した熱媒液、又は、蓄熱剤を封入した複数の蓄熱容器とともに熱源収容部と電池収容部における熱源収容部の増設部との両方に収容した熱媒液の保有冷熱又は保有温熱を用いて冷風又は温風を生成する構成にしてある点にある。
【００３４】
つまり、この第６特徴構成では、熱媒液をそれともに収容した複数の蓄熱容器中の蓄熱剤と熱交換させて冷却又は加熱し、そして、冷却した熱媒液の保有冷熱又は加熱した熱媒液の保有温熱（すなわち、元々は蓄熱剤の保有していた冷熱又は温熱）を用いて冷風又は温風を生成する。
【００３５】
そして、この第６特徴構成によれば、蓄熱剤を複数の蓄熱容器に分けて封入するから、蓄熱剤が液体になる状態があるにしても、装置の持ち運びの際に蓄熱剤が装置内で大きく揺れ動くといったことを効果的に防止でき、また、熱媒液は複数の蓄熱容器とともに収容するから、熱媒液の収容量は少量で済ませることができて、装置の持ち運びの際に熱媒液が装置内で大きく揺れ動くといったことも防止でき、これにより、装置の持ち運びを一層容易にすることができて、装置の可搬性を一層高めることができる。
【００３６】
〔７〕本発明の第７特徴構成は、第６特徴構成の実施に好適な実施形態を特定するものであり、その特徴は、
前記熱源収容部に、又は、前記熱源収容部と前記電池収容部における熱源収容部の増設部との両方に、複数の前記蓄熱容器を整列状態に位置決めする容器配列構造を設けてある点にある。
【００３７】
つまり、この第７特徴構成によれば、装置の持ち運びの際に蓄熱容器がガタ付くことを容器配列構造による位置決めにより防止でき、これにより、第６特徴構成による効果と相俟って、装置の持ち運びをさらに容易にすることができて、装置の可搬性をさらに高めることができる。
【００３８】
なお、第７特徴構成の実施においては、容器配列構造を、熱源収容部、又は、熱源収容部と電池収容部における熱源収容部の増設部とに対し、蓄熱容器に代えて例えば氷等の他の蓄熱剤を直接に収容し得る構造にしておくのが望ましい。
【００３９】
〔８〕本発明の第８特徴構成は、第１〜第７特徴構成のいずれかの実施に好適な実施形態を特定するものであり、その特徴は、
前記電池収容部に収容した電池に接続する電池用接続端子を電池との接続を解除した状態で電池収容部において密閉状に格納する格納状態と、その電池用接続端子を電池との接続が可能な状態に電池収容部において露呈させる格納解除状態との切り換え操作が自在な端子格納手段を設けてある点にある。
【００４０】
つまり、この第８特徴構成によれば、前記第１特徴構成の実施において、電池運転モードで電池収容部に電池を収容した際には、端子格納手段を格納解除状態にして、その電池収容部における電池接続用端子を収容電池に対する接続が可能な露呈状態にするのに対し、外部電源運転モードで電池収容部を熱源収容部の増設部とした際には、端子格納手段を格納状態にすることで、その電池収容部における電池接続端子を密閉状に格納して電池収容部に収容する蓄熱剤との接触を防止することができる。
【００４１】
また同様に、前記第３特徴構成の実施において、電池収容部の一部を熱源収容部の増設部としない状態では、端子格納手段を格納解除状態にして、電池収容部におけるその部分（未だ熱源収容部の増設部としていない部分）の電池接続用端子を、その部分の収容電池に対する接続が可能な露呈状態にするのに対し、電池収容部の一部を熱源収容部の増設部とした状態では、端子格納手段を格納状態にすることで、電池収容部におけるその部分（熱源収容部の増設部）の電池接続端子を密閉状に格納して、その部分に収容する蓄熱剤との接触を防止することができる。
【００４２】
すなわち、これらのことにより、電池収容部又はその一部を熱源収容部の増設部として使用する構成を採りながらも、電池接続端子と蓄熱剤との接触に原因する電池接続端子の早期劣化などの種々の不都合を効果的に防止することができる。
【発明を実施するための最良の形態】
【００４３】
図１は可搬式空調装置Ｘをプレジャーボート上で使用している状態を示し、図２に示す如く、この可搬式空調装置Ｘにおいて、１は直方体形状の可搬装置ケースであり、この可搬装置ケース１の内部は、その長手方向において空気調整部２と電池収容部３と熱源収容部４とに区画してある。
【００４４】
可搬装置ケース１の長手方向における一端面部には、ケース長手方向の一端側に配置した空気調整部２にケース外の空気ＯＡを取り入れる吸気口５を形成してあり、空気調整部２には、吸気口５からの取り入れ空気ＯＡを熱媒液Ｗと熱交換させるフィンチューブ型の熱交換器６を吸気口５に対し近接対向させて内装するとともに、この熱交換器６を通過した調整空気ＳＡ（すなわち、熱媒液Ｗとの熱交換で温度調整した取り入れ空気ＯＡ）を受け入れる空気室７を形成してある。
【００４５】
また、空気調整部２には、可搬装置ケース１の長手方向における一端側上面部に形成した２つの吹出口８に連通させた給気チャンバ９と、空気室７内の調整空気ＳＡを給気チャンバ９に供給して吹出口８から吐出させるファン１０とを内装し、さらに、ケース長手方向の他端側に配置した熱源収容部４と熱交換器６との間で循環路１１を通じて熱媒液Ｗを循環させる循環ポンプ１２、及び、装置の運転制御を司る制御器１３を内装してある。
【００４６】
可搬装置ケース１の上面部のうち、ケース長手方向の一端側に配置した熱源収容部４とケース長手方向の中央部に配置した電池収容部３とに対応する部分には、それら熱源収容部４と電池収容部３とに対する共通の開閉蓋１４を設けてあり、この開閉蓋１４を開くことで、図３及び図４に示す如く、電池収容部３に対する電池１５（本例では蓄電池）の出し入れ操作や、熱源収容部４に対する蓄熱容器１６の出し入れ操作を行う。
【００４７】
熱源収容部４に収容する偏平直方体形状の蓄熱容器１６には、水よりも比熱及び粘度が大きくて融点が０℃近傍の冷熱用の潜熱蓄熱剤Ｚを封入してあり、熱源収容部４には、内部の潜熱蓄熱剤Ｚを冷却により固化させた状態の複数の蓄熱容器１６とともに、それら蓄熱容器１６内の潜熱蓄熱剤Ｚと容器壁を介して熱交換させる熱媒液Ｗ（本例では水）を収容する。
【００４８】
すなわち、この可搬式空調装置Ｘでは、電池収容部３に収容した電池１５の出力電力を駆動電力として循環ポンプ１２及びファン１０を運転することにより、潜熱蓄熱剤Ｚとの熱交換で冷却した熱媒液Ｗを熱交換器６に循環させて、その冷却熱媒液Ｗとの熱交換により熱交換器６で取り入れ空気ＯＡを冷却し、この冷却後の調整空気ＳＡ（すなわち、冷風）を吹出口８から送出するようにしてある。
【００４９】
２つの吹出口８には夫々、導風ホース１７を接続し得るようにしてあり、適当な長さの導風ホース１７を吹出口８に接続することで、吹出口８からの送出冷風ＳＡ（調整空気）を導風ホース１７の先端から所要の向きで吹き出させるように、又は、所要の箇所に導けるようにしてある。
【００５０】
また、吹出口８には、それを閉塞するキャップ１８を取り付けられるようにしてあり、これにより、同図３に示す如く一方の吹出口８にのみ導風ホース１７を接続して他方の吹出口８については予備としてキャップ１８により閉塞しておく使用形態や、両方の吹出口８に導風ホース１７を接続して両方の吹出口８から冷風ＳＡを送出させる使用形態などを適宜選択できるようにしてある。
【００５１】
可搬装置ケース１の一端側側面部には、脱着自在な接続コード１９を介して外部電源である一般商用電源に接続する外部電源端子２０を設けてあり、また、可搬装置ケース１の一端面部の上部には、斜め上向きにしたケース壁部に運転スイッチ２１と強弱調整具２２と電池ランプ２３と外部電源ランプ２４とを配置した操作部２５を設けてある。
【００５２】
制御器１３は、外部電源端子２０が一般商用電源に接続されていない状態で運転スイッチ２１がＯＮ操作されると、電池収容部３に収容した電池１５の出力電力を装置の駆動電力とする電池電源状態に電源回路を自動的に切り換えた状態で装置の運転を開始するとともに、電池ランプ２３を点灯する構成にしてあり、この電池電源状態では電池１５の出力電力による循環ポンプ１２及びファン１０の運転で冷風Ｓが生成送出される。
【００５３】
また、制御器１３は、外部電源端子２０が一般商用電源に接続された状態で運転スイッチ２１がＯＮ操作されると、外部電源端子２０からの入力電力（すなわち、一般商用電源からの供給電力）を装置の駆動電力とする外部電源状態に電源回路を自動的に切り換えた状態で装置の運転を開始するとともに、外部電源ランプ２４を点灯する構成にしてあり、この外部電源状態では外部電源端子２０からの入力電力による循環ポンプ１２及びファン１０の運転で冷風ＳＡが生成送出される。
【００５４】
なお、制御器１３は、上記の電池電源状態において電池収容部３における電池１５の電圧が閾電圧まで降下する（すなわち、電池１５の電力残量が少なくなる）と電池ランプ２３を点滅する構成にしてある。
【００５５】
強弱調整具２２は装置出力を調整するものであり、制御器１３は、この強弱調整具２２が操作されると、その操作に応じて循環ポンプ１２及びファン１０の出力（回転数）をインバータ制御により調整し、これにより、冷風ＳＡの温度はほぼ一定に保ちながら冷風ＳＡの送出風量を増減調整する。
【００５６】
電池収容部３及び熱源収容部４は、可搬装置ケース１の内部のうち空気調整部２を除いた部分に形成した断熱槽２６の内部を隔壁２７により２域に区画することで形成してあり、電池収容部３と熱源収容部４との仕切壁である隔壁２７、断熱槽２６の槽壁、及び、断熱槽２６に対する蓋である開閉蓋１４には夫々、断熱処置を施してある。
【００５７】
また、隔壁２７の下部には、電池収容部３と熱源収容部４とを連通させる連通口２８を形成してあり、この連通口２８には、それを閉塞する閉塞具２９を取り付けられるようにしてある。
【００５８】
すなわち、電池収容部３に電池１５を収容するとともに、熱源収容部４に蓄熱容器１６及び熱媒液Ｗを収容する使用形態のときには、閉塞具２９により連通口２８を閉塞した状態にすることで、電池収容部３と熱源収容部４とを隔壁２７により水密状に仕切った状態にして電池収容部３への熱媒液Ｗの浸入を阻止するようにしてある。
【００５９】
これに対し、外部電源端子２０からの入力電力を装置の駆動電力とする外部電源状態での装置運転を行う場合で電池１５が不要なときには、図５及び図６に示す如く、電池１５に代えて電池収容部３にも蓄熱容器１６を熱媒液Ｗとともに収容して、電池収容部３を熱源収容部４の増設部とする使用形態も採れるようにしてある。
【００６０】
そして、この際、隔壁２７の連通口２８を開いて電池収容部３と熱源収容部４とを下部で連通させることにより、電池収容部３と熱源収容部４との間での熱媒液Ｗの流通を自由にして、電池収容部３と熱源収容部４とを実質的に１つの熱源収容部とすることで、循環ポンプ１２による熱源収容部４と熱交換器６との間での熱媒液Ｗの循環により熱源収容部４における潜熱蓄熱剤Ｚの保有冷熱を取り出すことにおいて、電池収容部３における潜熱蓄熱剤Ｚの保有冷熱もともに取り出せるようにしてある。
【００６１】
すなわち、この可搬式空調装置では次の（イ）〜（ハ）の３つの運転モードを択一的に選択することができる。
【００６２】
（イ）電池収容部３に電池１５を収容するとともに熱源収容部４に蓄熱容器１６（換言すれば、潜熱蓄熱剤Ｚ）及び熱媒液Ｗを収容した状態で、電池１５の出力電力を装置の駆動電力とする電池電源状態を採って、電池１５の出力電力により循環ポンプ１２及びファン１０を運転することで、熱源収容部４における潜熱蓄熱剤Ｚの保有冷熱を用いて冷風ＳＡを生成し、その生成冷風ＳＡを送出する電池運転モード（図３及び図４参照）。
【００６３】
（ロ）電池収容部３と熱源収容部４との両方に蓄熱容器１６（潜熱蓄熱剤Ｚ）及び熱媒液Ｗを収容した状態で、外部電源端子２０からの入力電力を装置の駆動電力とする外部電源状態を採って、外部電源端子２０からの入力電力により循環ポンプ１２及びファン１０を運転することで、熱源収容部４と電池収容部３との両方における潜熱蓄熱剤Ｚの保有冷熱を用いて冷風ＳＡを生成し、その生成冷風ＳＡを送出する外部電源運転モード（図５及び図６参照）。
【００６４】
（ハ）電池収容部３に電池１５を収容するとともに熱源収容部４に蓄熱容器１６（潜熱蓄熱剤Ｚ）及び熱媒液Ｗを収容した状態で、外部電源端子２０からの入力電力を装置の駆動電力とする外部電源状態を採って、外部電源端子２０からの入力電力により循環ポンプ１２及びファン１０を運転することで、熱源収容部４における潜熱蓄熱剤Ｚの保有冷熱を用いて冷風ＳＡを生成し、その生成冷風ＳＡを送出する電池保管運転モード。
【００６５】
つまり、この可搬式空調装置では、電池運転モードでの運転を可能にすることにより、装置の運転に使用し得る適当な外部電源がない状況（例えば、プレージャーボート上やキャンプ場）でも装置を運転して冷風ＳＡを得られるようにし、これにより、装置の機能性及び汎用性を高めるようにしてある。
【００６６】
また、外部電源運転モードでの運転を可能にすることにより、外部電源端子２０からの入力電力による運転が可能なときには、電池収容部３を熱源収容部４の増設部として有効に利用した状態で、蓄熱容器１６（潜熱蓄熱剤Ｚ）の収容量を多くして装置の運転可能時間を電池運転モードでの運転よりも長くし得るようにし、これにより、可搬式装置としての装置価値を高く確保できるようにしてある。
【００６７】
そしてまた、電池格納運転モードでの運転を可能にすることにより、外部電源端子２０からの入力電力による運転が可能ではあるが、その後の電池運転モードでの運転に備えるなどの為に電池１５を電池収容部３に格納しておきたい場合などにも対応できるようにしてある。
【００６８】
熱源収容部４及び電池収容部３には、蓄熱容器１６の両端を係合させることで蓄熱容器１６を縦姿勢に保持する係合凹部３０を所定間隔で蓄熱容器１６の厚み方向に並設してあり、熱源収容部４及び電池収容部３に複数の蓄熱容器１６を収容する際、これら係合凹部３０の各々に各蓄熱容器１６を係合させることにより、それら複数の蓄熱容器１６を、隣り合うものどうしの間に熱媒液流通のための隙間が確保される整列状態に位置決めした状態で、熱源収容部４やその増設部としての電池収容部３に収容できるようにしてある。
【００６９】
また、複数の蓄熱容器１６を整列状態に位置決めする手段として係合凹部３０を採用することにより、場合によっては蓄熱容器１６に代え、蓄熱剤として氷を直接に熱源収容部４やその増設部としての電池収容部３に収容することもできるようにしてある。
【００７０】
開閉蓋１４の裏面のうち電池収容部３に対応する部分には、電池収容部３に収容した電池１５に接続して電池電力を装置の駆動電力として取り出す電池用接続端子３１を配設するとともに、その電池用接続端子３１を格納する端子格納部３２を設けてあり、電池運転モードでの運転の際には、この端子格納部３２の蓋３３を開くことで電池収容部３において電池用端子３１を電池１５に対する接続が可能な露呈状態にし、また、外部電源モードでの運転の際には、電池１５との接続を解除した電池用端子３１を端子格納部３２に格納した状態にして端子格納部３２の蓋３３を閉じることにより、電池収容部３に蓄熱容器１６とともに収容した熱媒液Ｗとの接触を確実に防止する密閉状態で電池用端子３１を格納できるようにしてある。
【００７１】
以上要するに、本実施形態の可搬式空調装置Ｘにおいて、熱交換器６、循環路１１、循環ポンプ１２は、潜熱蓄熱剤Ｚとともに収容した熱媒液Ｗの保有冷熱（元々は潜熱蓄熱剤Ｚの保有冷熱）を用いて冷風ＳＡを生成する空気調整手段を構成する。
【００７２】
また、制御器１３は、電池収容部３に収容した電池１５の出力電力を装置の駆動電力とする電池電源状態と、外部接続端子２０からの入力電力を装置の駆動電力にする外部電源状態との切り換えを行う電源切換手段を構成し、隔壁２７の連通口２８及びそれに対する閉塞具２９は、電池収容部３と熱源収容部４とを隔壁部２７により仕切って非連通にする状態と、その隔壁部２７による仕切りを解除して電池収容部３と熱源収容部４とを連通させる状態との切り換えを行う連通切換手段を構成する。
【００７３】
そして、これら電源切換手段（制御器１３）及び連通切換手段（連通口２８，閉塞具２９）は、前記した電池運転モードと外部電源運転モードとの切り換えを行うモード切換手段を構成する。
【００７４】
熱源収容部４及び電池収容部３に設けた係合凹部３０は、複数の蓄熱容器１６を整列状態に位置決めする容器配列構造を構成し、開閉蓋１４の裏面に設けた端子格納部３２及びその端子格納部３２の蓋３３は、電池用接続端子３１を電池１５との接続を解除した状態で電池収容部３において密閉状に格納する格納状態と、その電池用接続端子３１を電池１５との接続が可能な状態に電池収容部３において露呈させる格納解除状態との切り換え操作が自在な端子格納手段を構成する。
【００７５】
〔別実施形態〕
前述の実施形態では、外部電源運転モードでの運転の際、電池収容部３の全体を熱源収容部４の増設部とする例を示したが、これに代え、電池収容部３と熱源収容部４とを仕切る隔壁２７′を、図７の（イ）に示す如き仕切り状態と図４の（ロ）に示す如き仕切り状態とに切り換え可能な構造にし、これにより、装置の使用状況に応じて電池収容部３と熱源収容部４との容積比を変更するようにしてもよい。
【００７６】
すなわち、図７に示す構成において、仕切り状態の切り換えが可能な隔壁２７′は、電池収容部３と熱源収容部４とのうちの一方の一部を他方の増設部にして電池収容部３の容積と熱源収容部４の容積とを背反的に増減させる形態で、それら電池収容部３と熱源収容部４との容積比を変更する容積比変更手段を構成する。
【００７７】
なお、容積比変更手段を設けて、電池収容部３の容積と熱源収容部４の容積とを背反的に増減させる形態で、それら電池収容部３と熱源収容部４との容積比を変更できるようにする場合、その容積比変更手段は、上記の如く隔壁２７′の姿勢を変更する方式のものに限らず、例えば、可搬装置ケース１における断熱槽２６の内部を３域以上の領域に分割しておき、これら分割領域どうしの連通関係をバルブなどにより切り換えることで、熱源収容部４と電池収容部３との容積比を変更する方式のものなど、種々の変更方式のものを採用できる。
【００７８】
前述の実施形態では、可搬装置ケース１を一体型のケースにした例を示したが、これに代え、図８の（イ）に示す如く、空気調整部２を内装した送風側ケース１Ａと熱源収容部４及び電池収容部３を内装した収容部側ケース１Ｂとを連結操作及び連結解除操作が自在な連結具３４により連結することで可搬装置ケース１を形成する構造とし、これにより、図８の（ロ）に示す如く、連結具３４による連結を解除して送風側ケース１Ａと収容部側ケース１Ｂとを分離した状態で、それら送風側ケース１Ａと収容部側ケース１Ｂを各々の設置に適した箇所に設置して装置を使用できるようにしてもよい。
【００７９】
なお、３５は分離状態の送風側ケース１Ａと収容部側ケース１Ｂとにわたらせた熱媒液循環用の渡りホース、３６は同じく分離状態の送風側ケース１Ａと収容部側ケース１Ｂとにわたらせた電池電力移送用の渡り電線である。
【００８０】
前述の実施形態では、蓄熱剤Ｚの保有冷熱を用いて冷風ＳＡを生成する例を示したが、これに代え、蓄熱剤Ｚの保有温熱を用いて温風ＳＡを生成するようにしてもよい。
【００８１】
蓄熱剤Ｚの保有冷熱又は保有温熱を用いて冷風又は温風を生成する空気調整手段は、前述の実施形態の如く、蓄熱剤Ｚとともに収容した熱媒液Ｗと空気ＯＡとを熱交換器６で熱交換させることで冷風又は温風を生成する方式のものに限らず、空気ＯＡを蓄熱剤Ｚに対して直接に接触させることで冷風や温風を生成する方式のものや、蓄熱剤Ｚ又はそれとともに収容した熱媒液Ｗと移送用熱媒とを熱交換させる熱交換器を設けて、その移送用熱媒と空気ＯＡとを別の熱交換器で熱交換させることで冷風や温風を生成する方式のものにしてもよい。
【００８２】
蓄熱剤Ｚは蓄熱容器１６に封入した潜熱蓄熱剤に限られるものではなく、熱源収容部４に対して直接に投入する氷やドライアイス、あるいは、温水などであってもよい。
【００８３】
前述の実施形態では、熱源収容部４と電池収容部３とを連通させる状態と非連通にする状態との切り換えを隔壁２７に形成した連通口２８の開閉により行うようにしたが、場合によっては、その切り換えを隔壁２７の脱着により行うようにしてもよい。
【００８４】
複数の蓄熱容器１６を整列状態に位置決めする容器配列構造は、前述の実施形態で示した係合凹部３０の並設構造に限られるものではなく、種々の構造変更が可能である。
【００８５】
電池用接続端子３１を電池１５との接続を解除した状態で電池収容部３において密閉状に格納する格納状態と、その電池用接続端子３１を電池１５との接続が可能な状態に電池収容部３において露呈させる格納解除状態との切り換え操作が可能な端子格納手段を設ける場合、その具体的構造は前述の実施形態で示した端子格納部３２の如き構造に限られるものではなく、種々の構造変更が可能である。
【００８６】
本発明による可搬式空調装置は、プレジャーボートやキャンプ場での使用に限らず、種々の場所で使用することができる。
【図面の簡単な説明】
【００８７】
【図１】可搬式空調装置の使用状態を示す斜視図
【図２】可搬式空調装置の構造を示す一部破断斜視図
【図３】電池運転モードでの使用状態を示す一部破断斜視図
【図４】電池運転モードでの使用状態を示す平面視断面図
【図５】外部電源運転モードでの使用状態を示す一部破断斜視図
【図６】外部電源運転モードでの使用状態を示す平面視断面図
【図７】別実施形態示す可搬式空調装置の平面視断面図
【図８】別実施形態を示す可搬式空調装置の斜視図
【符号の説明】
【００８８】
４                熱源収容部
Ｚ                蓄熱剤
ＳＡ              冷風又は温風
６，１１，１２    空気調整手段
１０              ファン
１５              電池
３                電池収容部
２０              外部電源端子
１３，２８，２９  モード切換手段
１３              電源切換手段
２７              隔壁部
２８，２９        連通切換手段
２７′            容積比変更手段
１                可搬装置ケース
１Ａ              送風側ケース
１Ｂ              収容部側ケース
３４              連結手段
１６              蓄熱容器
Ｗ                熱媒液
３０              容器配列構造
３１              電池用接続端子
３２，３３        端子格納手段
【図１】
2006300352.tif 000003
【図２】
2006300352.tif 000004
【図３】
2006300352.tif 000005
【図４】
2006300352.tif 000006
【図５】
2006300352.tif 000007
【図６】
2006300352.tif 000008
【図７】
2006300352.tif 000009
【図８】
2006300352.tif 000010